(57)【要約】      （修正有）【課題】径の異なるディスクに対応でき装置の薄型化を図りつつディスクの装着を確実に行うスロットイン方式のディスク装置。【解決手段】シャーシ外装のフロント側とリア側との間をスライダー機構によって前後に移動可能な内部トレイ４０を設け、内部トレイ４０には、ディスクを支持する少なくとも３つのディスク保持部を有し、第１のディスク保持部をディスク当接部４１Ａが旋回動作するロードレバーＲ４１によって構成し、第２のディスク保持部をディスク当接部４２Ａが前後動するセレクトレバー４２によって構成し、ロードレバーＲ４１のディスク当接部４１Ａがディスクの一方の側部を支持し、セレクトレバー４２のディスク当接部４２Ａがディスクの後部を支持し、ロードレバーＲ４１の旋回位置によってセレクトレバー４２の後方側停止位置を変更する。【選択図】図３
2007095133.tif 000002
【特許請求の範囲】
【請求項１】
ベース本体と蓋体とからシャーシ外装を構成し、前記シャーシ外装のフロント面にディスクを直接挿入するディスク挿入口を形成し、前記ベース本体にトラバースベースを設け、前記トラバースベースにスピンドルモータとピックアップと当該ピックアップを移動させる駆動手段とを設け、前記トラバースベースを前記ベース本体側と前記蓋体側との間で変位させるスライダー機構を設けたディスク装置であって、
前記シャーシ外装のフロント側とリア側との間を前後に移動可能な内部トレイを設け、前記内部トレイには、前記ディスクを支持する少なくとも３つのディスク保持部を有し、第１の前記ディスク保持部を、移動する仮想中心に対してディスク当接部が概略旋回動作するロードレバーＲによって構成し、第２の前記ディスク保持部を、ディスク当接部が前後動するセレクトレバーによって構成し、前記ロードレバーＲの前記ディスク当接部が前記ディスクの一方の側部を支持し、前記セレクトレバーの前記ディスク当接部が前記ディスクの後部を支持し、前記ロードレバーＲの旋回位置によって前記セレクトレバーの後方側停止位置を変更することを特徴とするディスク装置。
【請求項２】
第３の前記ディスク保持部を、ディスク当接部が旋回動作するロードレバーＬによって構成し、前記ロードレバーＬの前記ディスク当接部が前記ディスクの他方の側部を支持し、前記ロードレバーＲの旋回位置によって前記ロードレバーＬの旋回動作を規制することを特徴とする請求項１に記載のディスク装置。
【請求項３】
前記内部トレイには、前記ロードレバーＲの旋回動作によって前後動するロードリンクレバーと、前記ロードリンクレバーの後端部とカム機構によって連結されるロードリンクアームと、一端側を前記ロードリンクアームとカム機構によって連結され、他端側を前記ロードレバーＬとカム機構によって連結されるリンクレバーとを有し、前記ロードリンクレバーの前後動によって前記リンクレバーが左右方向に移動することを特徴とする請求項２に記載のディスク装置。
【請求項４】
前記内部トレイには、前記ロードレバーＲの旋回動作によって前後動するロードリンクレバーと、前記ロードリンクレバーの前後動によって変位するディテクトスイングレバーと、前記セレクトレバーとともに前後動するディテクトレバーとを有し、前記ディテクトレバーには前記セレクトレバーの凸部を受ける溝部が形成され、前記溝部の一端側には前記セレクトレバーの第１の固定位置となる第１設定溝部を、前記溝部の他端側には前記セレクトレバーの第２の固定位置となる第２設定溝部を有し、前記ディテクトスイングレバーの変位によって前記ディテクトレバーを変位させることで、前記セレクトレバーの前記凸部が、前記第１設定溝部から前記第２設定溝部に移動可能になることを特徴とする請求項１に記載のディスク装置。
【請求項５】
挿入されるディスクが小径ディスクの場合には前記ロードレバーＬは外側に旋回動作しない位置に配置されていることを特徴とする請求項２に記載のディスク装置。
【請求項６】
挿入されるディスクが小径ディスクの場合には前記ロードリンクレバーは移動しないことを特徴とする請求項３に記載のディスク装置。
【請求項７】
挿入されるディスクが小径ディスクの場合には前記セレクトレバーの前記凸部が前記第１設定溝部に配置され、挿入されるディスクが大径ディスクの場合には前記セレクトレバーの前記凸部が前記溝部を移動して前記第２設定溝部に配置されることを特徴とする請求項４に記載のディスク装置。
【発明の詳細な説明】
【技術分野】
【０００１】
本発明は、ＣＤやＤＶＤなどのディスク状の記録媒体への記録、または再生を行うディスク装置に関し、特に外部からディスクを直接挿入し、または直接排出できる、いわゆるスロットイン方式のディスク装置に関する。
【背景技術】
【０００２】
従来のディスク装置は、トレイまたはターンテーブル上にディスクを載置し、このトレイやターンテーブルを装置本体内に装着するローディング方式が多く採用されているが、このようなローディング方式では、トレイやターンテーブルが必要な分、ディスク装置本体を薄型化するには限度があった。このため、最近では、ローディングモータによりレバー等でディスクを直接操作する、いわゆるスロットイン方式のディスク装置が存在する（例えば特許文献１）。
【特許文献１】特開２００２−３５２４９８号公報
【発明の開示】
【発明が解決しようとする課題】
【０００３】
しかし特許文献１記載のディスク装置では、径の異なるディスクに対応できていなかった。
【０００４】
そこで本発明は、スロットイン方式のディスク装置で、径の異なるディスクに対応でき、装置の薄型化を図りつつ、スピンドルモータへのディスクの装着動作を確実に行うことができるディスク装置を提供することを目的とする。
【課題を解決するための手段】
【０００５】
請求項１記載の本発明のディスク装置は、ベース本体と蓋体とからシャーシ外装を構成し、前記シャーシ外装のフロント面にディスクを直接挿入するディスク挿入口を形成し、前記ベース本体にトラバースベースを設け、前記トラバースベースにスピンドルモータとピックアップと当該ピックアップを移動させる駆動手段とを設け、前記トラバースベースを前記ベース本体側と前記蓋体側との間で変位させるスライダー機構を設けたディスク装置であって、前記シャーシ外装のフロント側とリア側との間を前後に移動可能な内部トレイを設け、前記内部トレイには、前記ディスクを支持する少なくとも３つのディスク保持部を有し、第１の前記ディスク保持部を、移動する仮想中心に対してディスク当接部が概略旋回動作するロードレバーＲによって構成し、第２の前記ディスク保持部を、ディスク当接部が前後動するセレクトレバーによって構成し、前記ロードレバーＲの前記ディスク当接部が前記ディスクの一方の側部を支持し、前記セレクトレバーの前記ディスク当接部が前記ディスクの後部を支持し、前記ロードレバーＲの旋回位置によって前記セレクトレバーの後方側停止位置を変更することを特徴とする。
請求項２記載の本発明は、請求項１に記載のディスク装置おいて、第３の前記ディスク保持部を、ディスク当接部が旋回動作するロードレバーＬによって構成し、前記ロードレバーＬの前記ディスク当接部が前記ディスクの他方の側部を支持し、前記ロードレバーＲの旋回位置によって前記ロードレバーＬの旋回動作を規制することを特徴とする。
請求項３記載の本発明は、請求項２に記載のディスク装置おいて、前記内部トレイには、前記ロードレバーＲの旋回動作によって前後動するロードリンクレバーと、前記ロードリンクレバーの後端部とカム機構によって連結されるロードリンクアームと、一端側を前記ロードリンクアームとカム機構によって連結され、他端側を前記ロードレバーＬとカム機構によって連結されるリンクレバーとを有し、前記ロードリンクレバーの前後動によって前記リンクレバーが左右方向に移動することを特徴とする。
請求項４記載の本発明は、請求項１に記載のディスク装置おいて、前記内部トレイには、前記ロードレバーＲの旋回動作によって前後動するロードリンクレバーと、前記ロードリンクレバーの前後動によって変位するディテクトスイングレバーと、前記セレクトレバーとともに前後動するディテクトレバーとを有し、前記ディテクトレバーには前記セレクトレバーの凸部を受ける溝部が形成され、前記溝部の一端側には前記セレクトレバーの第１の固定位置となる第１設定溝部を、前記溝部の他端側には前記セレクトレバーの第２の固定位置となる第２設定溝部を有し、前記ディテクトスイングレバーの変位によって前記ディテクトレバーを変位させることで、前記セレクトレバーの前記凸部が、前記第１設定溝部から前記第２設定溝部に移動可能になることを特徴とする。
請求項５記載の本発明は、請求項２に記載のディスク装置おいて、挿入されるディスクが小径ディスクの場合には前記ロードレバーＬは外側に旋回動作しない位置に配置されていることを特徴とする。
請求項６記載の本発明は、請求項３に記載のディスク装置おいて、挿入されるディスクが小径ディスクの場合には前記ロードリンクレバーは移動しないことを特徴とする。
請求項７記載の本発明は、請求項４に記載のディスク装置おいて、挿入されるディスクが小径ディスクの場合には前記セレクトレバーの前記凸部が前記第１設定溝部に配置され、挿入されるディスクが大径ディスクの場合には前記セレクトレバーの前記凸部が前記溝部を移動して前記第２設定溝部に配置されることを特徴とする。
【発明の効果】
【０００６】
本発明によれば、内部トレイによるディスク保持を行う際に、ロードレバーＲの旋回位置によってディスク径を判別してセレクトレバーの後方側停止位置を変更するため、異なるディスク径に対しても、確実なディスク保持を行うことができるとともに、ディスク径が異なっても内部トレイに対するディスクの中心位置を同じにすることができるため、内部トレイによるディスク保持動作以降の動作を変更することなく行わせることができる。
【発明を実施するための最良の形態】
【０００７】
本発明の第１の実施の形態によるディスク装置は、シャーシ外装のフロント側とリア側との間を前後に移動可能な内部トレイを設け、内部トレイには、ディスクを支持する少なくとも３つのディスク保持部を有し、第１のディスク保持部を、移動する仮想中心に対してディスク当接部が概略旋回動作するロードレバーＲによって構成し、第２のディスク保持部を、ディスク当接部が前後動するセレクトレバーによって構成し、ロードレバーＲの前記ディスク当接部がディスクの一方の側部を支持し、セレクトレバーのディスク当接部がディスクの後部を支持し、ロードレバーＲの旋回位置によってセレクトレバーの後方側停止位置を変更するものである。本実施の形態によれば、内部トレイに３つのディスク保持部を有することでディスクを内部トレイで保持した後に、内部トレイをリア側に引き込むことで、トラバースベース上の所定の位置にディスクを配置することができる。そして、本実施の形態によれば、内部トレイによるディスク保持を行う際に、ロードレバーＲの旋回位置によってディスク径を判別してセレクトレバーの後方側停止位置を変更するため、異なるディスク径に対しても、確実なディスク保持を行うことができるとともに、ディスク径が異なっても内部トレイに対するディスクの中心位置を同じにすることができるため、内部トレイによるディスク保持動作以降の動作を変更することなく行わせることができる。
本発明の第２の実施の形態は、第１の実施の形態によるディスク装置において、第３のディスク保持部を、ディスク当接部が旋回動作するロードレバーＬによって構成し、ロードレバーＬのディスク当接部がディスクの他方の側部を支持し、ロードレバーＲの旋回位置によってロードレバーＬの旋回動作を規制するものである。本実施の形態によれば、ロードレバーＲの旋回位置によってディスク径を判別してロードレバーＬの旋回動作を規制するため、異なるディスク径に対しても、確実なディスク保持を行うことができる。
本発明の第３の実施の形態は、第２の実施の形態によるディスク装置において、内部トレイには、ロードレバーＲの旋回動作によって前後動するロードリンクレバーと、ロードリンクレバーの後端部とカム機構によって連結されるロードリンクアームと、一端側をロードリンクアームとカム機構によって連結され、他端側をロードレバーＬとカム機構によって連結されるリンクレバーとを有し、ロードリンクレバーの前後動によってリンクレバーが左右方向に移動するものである。本実施の形態によれば、ロードレバーＲの旋回位置によってロードレバーＬの旋回動作を確実に規制することができる。
本発明の第４の実施の形態は、第１の実施の形態によるディスク装置において、内部トレイには、ロードレバーＲの旋回動作によって前後動するロードリンクレバーと、ロードリンクレバーの前後動によって変位するディテクトスイングレバーと、セレクトレバーとともに前後動するディテクトレバーとを有し、ディテクトレバーにはセレクトレバーの凸部を受ける溝部が形成され、溝部の一端側にはセレクトレバーの第１の固定位置となる第１設定溝部を、溝部の他端側にはセレクトレバーの第２の固定位置となる第２設定溝部を有し、ディテクトスイングレバーの変位によってディテクトレバーを変位させることで、セレクトレバーの凸部が、第１設定溝部から第２設定溝部に移動可能になるものである。本実施の形態によれば、ディスク径が異なっても内部トレイに対するディスクの中心位置を同じにすることができる。
本発明の第５の実施の形態は、第２の実施の形態によるディスク装置において、挿入されるディスクが小径ディスクの場合にはロードレバーＬは外側に旋回動作しない位置に配置されている。本実施の形態によれば、ロードレバーＬによって小径ディスクを確実に保持することができる。
本発明の第６の実施の形態は、第３の実施の形態によるディスク装置において、挿入されるディスクが小径ディスクの場合にはロードリンクレバーは移動しないものである。本実施の形態によれば、小径ディスクに合わせてロードレバーＲ、セレクトレバー、及びロードレバーＬを配置することで確実に小径ディスクを保持できるとともに、大径ディスクの場合には、ロードレバーＲ、セレクトレバー、及びロードレバーＬをそれぞれ動作させることで、径の異なるディスクに対応することができる。
本発明の第７の実施の形態は、第４の実施の形態によるディスク装置において、挿入されるディスクが小径ディスクの場合にはセレクトレバーの凸部が第１設定溝部に配置され、挿入されるディスクが大径ディスクの場合にはセレクトレバーの凸部が溝部を移動して第２設定溝部に配置されるものである。本実施の形態によれば、第１設定溝部と第２設定溝部との位置を変更することで、ディスク径に応じたセレクトレバーの前後動を行わせることができる。
【実施例】
【０００８】
図１は本発明の一実施例におけるディスク装置のシャーシ外装を示す外観斜視図、図２は同ディスク装置のベース本体の主要部を示す概念構成図、図３は同ディスク装置の内部トレイの主要部を示す概略構成図、図４は同ディスク装置の駆動ユニットの主要部を示す概略構成図である。
まず、図１に示すように、本実施例によるディスク装置は、ベース本体１１と蓋体１２とからシャーシ外装１０が構成され、このシャーシ外装１０のフロント面にベゼル１３が装着される。本実施例によるディスク装置は、ベゼル１３に設けたディスク挿入口１４からディスクＡを直接挿入するスロットイン方式のディスク装置である。
蓋体１２の中央部には、開口部１５が設けられている。この開口部１５は、ディスクＡの中心孔よりも大きな径の円形開口である。開口部１５の外周には、ベース本体１１に向かって突出する凸状部１６が設けられている。
【０００９】
次に、図２に示すように、ベース本体１１には、トラバースベース２０と、内部トレイ４０と、スライダー機構６０が設けられている。
トラバースベース２０には、スピンドルモータ２１とピックアップ２２とこのピックアップ２２を移動させる駆動手段２３とを設けている。スピンドルモータ２１は、ベース本体１１の略中心に位置するようにトラバースベース２０の一端側に設けている。ピックアップ２２は、待機状態にあるときにはトラバースベース２０の他端側に配置され、この待機位置からスピンドルモータ２１に近接する位置まで移動可能に設けている。
トラバースベース２０の後方は、プリント基板が配設される基板ベース１７となっている。スライダー機構６０は、トラバースベース２０と基板ベース１７との間、及びトラバースベース２０と基板ベース１７との側部に設けられている。なお、スライダー機構６０を駆動するモーター６１やこのモーター６１の回転を伝達するギア群６２は、基板ベース１７側に配置されている。
従って、ピックアップ２２は、ディスク回転の中心よりも、シャーシ外装１０のフロント面側（ディスク出し入れ側）に配置され、ピックアップ２２、モーター６１、ギア群６２、及びリードスクリュー駆動機構は、ディスクの下部に配置される。トラバースベース２０は、外周側よりも内周側を大きく上下動させ、ピックアップ２２、モーター６１、ギア群６２、及びリードスクリュー駆動機構は、外周側に配置される。
内部トレイ４０がシャーシ外装１０のフロント面側にあるときは、内部トレイ４０は、スピンドルモータ２１のターンテーブル中央凸部の後方、ターンテーブルのディスク受け面の上、及びトラバースベース２０の上側に配置される。また、内部トレイ４０がシャーシ外装１０のフロント面側にあるときは、内部トレイ４０は、トラバースベース２０の上から外れるように配置される。
スライダー機構６０を構成する第１のトラバーススライダー６３は、トラバースベース２０と基板ベース１７との側部に、前後方向に移動可能に設けられている。また、スライダー機構６０を構成する第２のトラバーススライダー６４は、トラバースベース２０と基板ベース１７との間に、左右方向に移動可能に設けられている。第１のトラバーススライダー６３と第２のトラバーススライダー６４とは連結レバー６５によって連結されている。第１のトラバーススライダー６３には、第１のトラバーススライダー６３の移動動作によって、連結レバー６５が回転する部分と、連結レバー６５が回転しないように位置規制される部分を有するカムが構成されている。そして、トラバースベース２０が変位動作する時には、第１のトラバーススライダー６３と第２のトラバーススライダー６４とはともに動作し、トラバースベース２０が変位動作しない時には、第１のトラバーススライダー６３のみが動作する。第２のトラバーススライダー６４は、第１のトラバーススライダー６３とともに動作する。そして、トラバースベース２０と第１のトラバーススライダー６３とはカム機構（図示せず）によって連結され、またトラバースベース２０と第２のトラバーススライダー６４ともカム機構（図示せず）によって連結されている。またトラバースベース２０は、ディスク挿入口１４側において、仮想の回転支持軸Ｘにより回転支持されている。従って、トラバースベース２０は、第１のトラバーススライダー６３と第２のトラバーススライダー６４との動作によって、スピンドルモータ２１側がベース本体１１側と蓋体１２側との間で変位する構成となっている。
【００１０】
図３に示すように、内部トレイ４０には、ディスクＡの一方の端部を支持するディスク当接部４１Ａが仮想中心が移動する概略旋回動作するロードレバーＲ（第１のディスク保持部）４１と、ディスクＡの後部を支持するディスク当接部４２Ａが前後動するセレクトレバー（第２のディスク保持部）４２と、ディスクＡの他方の端部を支持するディスク当接部４３Ａが旋回動作するロードレバーＬ（第３のディスク保持部）４３が設けられている。
図４に示すように、スライダー機構６０として、固定駆動ピニオン６６と、移動駆動ピニオン６７と、第１のローディングスライダー６８と、第２のローディングスライダー６９とを備えている。固定駆動ピニオン６６は、ギア群６２と連結され、第１のトラバーススライダー６３と第１のローディングスライダー６８とを動作させる。第１のトラバーススライダー６３と第１のローディングスライダー６８とは、固定駆動ピニオン６６をはさんで、対向した位置に配置している。移動駆動ピニオン６７は、ピニオン台７０に設けられ、第１のトラバーススライダー６３と連結され、第２のローディングスライダー６９を動作させる。第２のローディングスライダー６９は、移動駆動ピニオン６７をはさんで、第１のトラバーススライダー６３と対向した位置に配置している。なお、ピニオン台７０は、第１のローディングスライダー６８に設けられ、第１のローディングスライダー６８とともに動作する。ピニオン台７０は、第１のローディングスライダー６８に前後動可能に設けられ、ピニオン台７０は、第１のローディングスライダー６８に対して移動するときには大きな力が必要になるように付勢バネ（図示なし）等により、手前側に付勢されて、位置が保持されている。付勢バネ等による付勢荷重は、通常の動作時に掛かる荷重よりも大きく設定されており、通常の動作時には手前側に位置が保持される。異常時の過大荷重の発生時に移動し、破壊することを防止している。付勢は、フックを横から付勢バネ（板バネ）で押し、フックが移動する時の初期動作時にはフックが傾斜面を乗り越えなくてはならないようにし、位置保持の荷重を大きくし、移動ストロークを大きく取れるようにしている。付勢は引っ張りコイルバネを併用し、乗り越え後の復帰を可能とするとともに、保持荷重を大きくしている。  内部トレイ４０は、シャーシ外装１０のフロント側とリア側との間を第１のローディングスライダー６８と第２のローディングスライダー６９によって前後に移動可能に設けている。
【００１１】
図５から図１０は本実施例におけるディスク装置の内部トレイの具体例を示し、図５から図７は大径ディスクの挿入状態を示す平面図、図８及び図９は小径ディスクの挿入状態を示す平面図、図１０は斜視図である。
まず、図５を用いて内部トレイの構成を説明する。
内部トレイ４０には、ロードレバーＲ４１の旋回動作によって前後動するロードリンクレバー４４と、ロードリンクレバー４４の後端部のカム溝４４Ａとカムピン４５Ａによって連結されるロードリンクアーム４５と、一端側をロードリンクアーム４５のカムピン４５Ｂとカム溝４６Ａによって連結されるリンクレバー４６とを設けている。リンクレバー４６の他端側にはカム溝４６Ｂを有している。ロードレバーＬ４３の他端側にはカムピン４３Ｂを有し、リンクレバー４６の他端側のカム溝４６Ｂと連結されている。カムピン４５Ｂは、大径用規制ピン４５Ｄを中心として旋回する。
また、内部トレイ４０には、逃がし溝４０Ａと、カム溝４０Ｂ、４０Ｃを有している。逃がし溝４０Ａは、リンクレバー４６の一端側に設けられ、ロードリンクアーム４５のカムピン４５Ｂが干渉しないように形成している。カム溝４０Ｂは、リンクレバー４６の他端側に設けられ、ロードレバーＬ４３のカムピン４３Ｂが摺動する。カム溝４０Ｃは、ロードレバーＬ４３のカムピン４３Ｃが摺動する。
ロードレバーＲ４１は、軸４１Ｂの後方側に位置するピン４１Ｚ付近を中心として概略旋回動作し、ピン４１Ｃによってロードリンクレバー４４と連結されている。すなわち、ロードレバーＲ４１の後端部はピン４１Ｚの外径をすべり、ピン４１Ｃがロードリンクレバー４４とともに前後に移動する。これによりディスク当接部４１Ａは概略旋回動作をする。ロードリンクアーム４５は、軸４５Ｃを中心として旋回動作する。なお、ロードリンクアーム４５には、大径用規制ピン４５Ｄと小径用規制ピン４５Ｅを有している。大径用規制ピン４５Ｄは、大径のディスクＡが挿入された場合のディスク保持動作を行うもので、小径用規制ピン４５Ｅは、小径のディスクＢが挿入された場合のディスク保持動作を行うものである。チェックチェックリンクレバー４６には、長手方向にガイド溝４６Ｃを有し、内部トレイ４０のピン４０Ｄが摺動する。
また、内部トレイ４０には、セットレバー４７を設けている。セットレバー４７は、前端側にディスク当接部４７Ａを、後端側に軸４７Ｂを有し、軸４７Ｂを中心として回動する。
また、内部トレイ４０には、ロードリンクレバー４４の前後動によって変位するディテクトスイングレバー４８と、セレクトレバー４２とともに前後動するディテクトレバー４９及びチェックスライダー５０とを有している。ディテクトレバー４９にはセレクトレバー４２の凸部４２Ｂを受ける溝部５０Ａが形成されている。この溝部５０Ａの一端側にはセレクトレバー４２の第１の固定位置となる第１設定溝部５０Ｂを、溝部５０Ａの他端側にはセレクトレバー４２の第２の固定位置となる第２設定溝部５０Ｃを有し、溝部５０Ａ、第１設定溝部５０Ｂ、及び第２設定溝部５０ＣによってＺ字状の溝を形成している。
【００１２】
なお、チェックスライダー５０が最後部へ移動した時に、動作するインナートレイフック（図示せず）が設けられている。このインナートレイフックは、チェックスライダー５０が当接する一端にはピンを有し、支点を中心に所定角度回動可能に配置されている。また、インナートレイフックの他端には裏面側に突出させたピンを有している。このピンは、図１に示すベース本体１１側の溝と係合しており、チェックレバー５１がチェックスライダー５０によって後方に押されているディテクトレバー４９によって回動すると、内部トレイ４０のロックが外され、チェックスライダー５０の後方側移動を規制する構成となっている。すなわち、ディテクトレバー４９による押圧を受けない状態では、チェック、インナートレイフックのピンによって内部トレイ４０はベース本体１１上で固定され、ディテクトレバー４９による押圧を受けた状態ではチェック、内部トレイ４０はベース本体１１上を移動可能で、チェックスライダー50は、内部トレイ４０上での移動が規制された状態となる。
【００１３】
次に図５から図７を用いて大径ディスクの挿入動作について説明する。
図１に示すように、ディスク挿入口１４からディスクを押し込むと、ディスクＡは、まず、ロードレバーＲ４１のディスク当接部４１Ａに当接し、つぎに、セレクトレバー４２のディスク当接部４２Ａに当接する。さらにディスクＡを押し込むと、図５に示すように、セレクトレバー４２はディスクＡによって後方に押し込まれ、ロードレバーＲ４１は軸４１Ｂの後方側にあるピン４１Ｚ付近を中心として概略旋回動作してディスク当接部４１Ａが外方向に回動する。ロードレバーＲ４１の回動によってピン４１Ｃが前方に移動し、このピン４１Ｃとともにロードリンクレバー４４も前方に移動する。ロードリンクレバー４４が前方に移動することで、ロードリンクアーム４５はカムピン４５Ａが前方に移動し、カムピン４５Ｂが後方に移動する。このカムピン４５Ｂの移動によってリンクレバー４６はロードレバーＬ４３側に移動する。そしてリンクレバー４６が移動することで、ロードレバーＬ４３のカムピン４３Ｂはカム溝４６Ｂ内を摺動してロードレバーＬ４３を前方へ移動させる。ロードレバーＬ４３が前方へ移動することでカムピン４３Ｃはカム溝４０Ｃ内を移動し、ロードレバーＬ４３のロックが解除される。
上記の動作を継続し、図６に示す状態までディスクＡが押し込まれると、ロードリンクレバー４４の前方への移動によってディテクトスイングレバー４８が所定角度回動する。このディテクトスイングレバー４８の回動によってディテクトレバー４９は、ロードレバーＬ４３側（図の左側）に移動させられる。ディテクトレバー４９がロードレバーＬ４３側に移動することで第１設定溝部５０Ｂに配置されていた凸部４２Ｂは溝部５０Ａに移動する。このように凸部４２Ｂが溝部５０Ａに配置されることで、セレクトレバー４２がディスクＡによって押し込まれると凸部４２Ｂは溝部５０Ａ内を後方に摺動する。なお、図６に示す状態ではディスクＡはロードレバーＬ４３のディスク当接部４３Ａにも当接し、ロードレバーＬ４３もカム溝４０Ｂ内のピン４３Ｂを中心に回動を始める。
図７に示す状態までディスクＡが押し込まれると、ディテクトスイングレバー４８はディテクトレバー４９を押圧しつづけているので、凸部４２Ｂは溝部５０Ａの後端まで移動した後にディテクトレバー４９の後部が、内部トレイ４０の右後端部の傾斜カム面により、ロードレバーＬ４３側（図の左側）に移動させられることで、第２設定溝部５０Ｃに配置される。ディスクＡが押し込まれることで、チェックスライダー５０は後方へ移動し、チェックスライダー５０の後端のカムはロードリンクアーム４５のピン４５Ｄを押し、ロードリンクアーム４５を反時計周りに旋回させ、逆に回らないように固定する。ロードリンクレバー４４は後方へ移動することで、ロードレバー４１のピン４１Ｃは後へ移動して固定され、ロードレバー４１の後端部は、ピン４１Ｚに接しディスク当接部４１Ａが、内側へ移動して固定され、ディスクが保持される。図７は、ディスクＡの内部トレイ４０への保持を完了した状態を示している。
【００１４】
次に図８と図９を用いて小径ディスクの挿入動作について説明する。
ディスクＢを押し込むと、ディスクＢは、ディスクＡの場合と同様に、セレクトレバー４２のディスク当接部４２ＡとロードレバーＲ４１のディスク当接部４１Ａに当接し、さらにディスクＡを押し込むと、図８に示すように、セレクトレバー４２はディスクＢによって後方に押し込まれ、ロードレバーＲ４１は軸４１Ｂの後にあるピン４１Ｚ付近を中心にして概略旋回動作し、ディスク当接部４１Ａが外方向に回動する。しかし、ロードレバーＲ４１の右側は、ピン４１Ｂとピン４１Ｚの間で、前後方向に移動可能で、ピン４１Ｃが動くことなく、ピン４１Ｃ周りに所定量まで旋回可能であり、ロードレバーＲ４１の回動量が小さいため、ロードリンクレバー４４は前方へ移動しない。ロードリンクレバー４４が前方に移動しないため、ロードリンクアーム４５も回動しない。従ってリンクレバー４６も移動しない。そしてリンクレバー４６が移動しないので、ロードレバーＬ４３も移動せず、カムピン４３Ｃはロック状態が保持される。
上記の動作を継続し、図９に示す状態までディスクＢが押し込まれると、チェックスライダー５０が後方へ移動し、チェックスライダー５０の後端のカムがロードリンクアーム４５のピン４５Ｅを押し、ロードリンクアーム４５を反時計周りに旋回させ、逆に回らないように固定する。ロードリンクレバー４４が後方へ移動することで、ロードレバー４１のピン４１Ｃが後へ移動し固定され、ロードレバー４１の後端部は、ピン４１Ｚに接し４１Ａが、内側へ移動して固定され、ディスクＢの内部トレイへの保持を完了する。なおロードリンクレバー４４が前方へは移動しない（後方へ移動する）ので、ディテクトスイングレバー４８は回動せず、ディテクトレバー４９は、ロードレバーＲ４１側（図の右側）に押圧された状態を保持し、凸部４２Ｂは第１設定溝部５０Ｂに保持される。なお、図９は、ディスクＡの内部トレイ４０への保持を完了した状態を示し、ディスクＢはロードレバーＲ４１のディスク当接部４１Ａ、セレクトレバー４２のディスク当接部４２Ａ、ロードレバーＬ４３のディスク当接部４３Ａによって保持されている。
図７に示す状態、及び図９に示す状態では、ディスクＡの内部トレイ４０への保持を完了するとともに、インナートレイフックがチェックスライダー５０によって後方に押されているディテクトレバー４９による押圧を受け、インナートレイフックは所定角度回動する。インナートレイフックの回動によって内部トレイ４０はベース本体１１上を移動する。
【００１５】
図１１から図１７は本実施例におけるディスク装置のスライダー機構の具体例を示し、図１１はスタンバイの状態を示す要部平面図、図１２は第１のローディングスライダーの移動完了状態を示す要部平面図、図１３は引き込み完了手前の状態を示す要部平面図、図１４は引き込み完了の状態を示す要部平面図、図１５はローディング完了の状態を示す要部平面図、図１６は第１のトラバーススライダー移動完了の状態を示す要部平面図、図１７はイジェクト移動完了の状態を示す要部平面図である。
まず、図１１を用いてスライダー機構の構成を説明する。
第２のローディングスライダー６９には、その上面に凸部６９Ａを有し、この凸部６９Ａが内部トレイ４０と係合して内部トレイ４０を動作させる。第２のローディングスライダー６９の後方側端部には、カム溝６９Ｂを有している。
第１の切り換えレバー７１は、一端側に軸７１Ａを有し、他端側にカムピン７１Ｂ、７１Ｃを有している。カムピン７１Ｂは、第１のローディングスライダー６８のカム溝６８Ａ内を、カムピン７１Ｃは、第１のトラバーススライダー６３のカム溝６３Ａ内を摺動する。
第２の切り換えレバー７２は、軸７２Ａを中心に回動し、カムピン７２Ｂによって動作する。カムピン７２Ｂは、第１のトラバーススライダー６３に形成されたカム溝６３Ｂとベース本体側部材１１Ａに形成されたカム溝６３Ｃ内を摺動する。また、第２の切り換えレバー７２は、カムピン７２Ｃ、７２Ｄを有している。なお、ベース本体側部材１１Ａは、ベース本体１１に固定されている。
ギア群６２、固定駆動ピニオン６６、第１の切り換えレバー７１の軸７１Ａ、及び第２の切り換えレバー７２の軸７２Ａは、ベース本体側部材１１Ａに固定されている。また、ベース本体側部材１１Ａには、内部トレイ位置検出器８１、ロード完了位置検出器８２、第２のローディングスライダー６９のスタンバイ位置を検出するスタンバイ検出器８３、及び第１のローディングスライダー６８の位置を検出するイジェクト位置検出器８４がそれぞれ設けられている。
【００１６】
次に、スライダー機構の動作を説明する。
まず、内部トレイ４０にディスクが保持され、内部トレイ４０がベース本体１１に対して後方に向けて所定距離押し込まれると、内部トレイ位置検出器８１がディスク保持完了を検出して、モーター６１が回転を開始する。
モーター６１が回転を始めると、図１１において、固定駆動ピニオン６６が回転して、第１のトラバーススライダー６３を前方に、第１のローディングスライダー６８を後方に移動させる。なお、移動駆動ピニオン６７は、第１のローディングスライダー６８とともに後方に移動する。
このとき、第１のトラバーススライダー６３の前方への移動によって、移動駆動ピニオン６７は反時計方向に回転する。第１のトラバーススライダー６３の移動による移動駆動ピニオン６７の回転と、移動駆動ピニオン６７自体の移動による回転によって、第２のローディングスライダー６９は後方に高速で（第１のトラバーススライダー６３の移動速度の３倍の速度で）移動する。なお、第１のローディングスライダー６８は、第１のトラバーススライダー６３の移動速度と同じ速度で、向きは反対に移動する。
第１のローディングスライダー６８は、移動完了手前で、固定駆動ピニオン６６との係合が解除される。第１のローディングスライダー６８のラックが固定駆動ピニオン６６から外れた状態は図１２に示す状態と同じである。第１のローディングスライダー６８のラックが固定駆動ピニオン６６から外れるタイミングで、第１の切り換えレバー７１は、カムピン７１Ｃと第１のトラバーススライダー６３のカム溝６３Ａとの係合によって回動し、第１の切り換えレバー７１のこの回動によってカムピン７１Ｂが第１のローディングスライダー６８のカム溝６８Ｂ内を摺動することで、第１のローディングスライダー６８を後方へ移動させ、カム溝６８Ｂの終端部では、カムピン７１Ｂの旋回移動で、第１のローディングスライダー６８が移動しないカム形状とし、６８を位置バラツキを少なく固定し、第１のローディングスライダー６８の移動を完了する。図１２はこの状態を示している。
図１２に示す状態では、固定駆動ピニオン６６によって第１のトラバーススライダー６３はさらに移動を継続しており、移動駆動ピニオン６７の回転も継続している。従って、第２のローディングスライダー６９はさらに後方に比較的低速で（第１のトラバーススライダー６３の移動速度と同じ速度で）移動する。
図１２に示す状態から図１３に示す状態に移動する際に、第２の切り換えレバー７２のカムピン７２Ｂは、第１のトラバーススライダー６３に形成されたカム溝６３Ｂによって移動し、第２の切り換えレバー７２は軸７２Ａの手前側にある軸７２Ｚを中心に回動し、第２の切り換えレバー７２のカムピン７２Ｃは、第２のローディングスライダー６９のカム溝６９Ｂと係合する。
【００１７】
図１３に示すように、第２の切り換えレバー７２のカムピン７２Ｃと第２のローディングスライダー６９のカム溝６９Ｂとが係合した状態で、第２の切り換えレバー７２のカムピン７２Ｂは、第１のトラバーススライダー６３に形成されたカム溝６３Ｂによってさらに移動することで、第２の切り換えレバー７２は中心が、軸７２Ｚから、軸７２Ｄの内の、手前側の軸７２Ｙに移り、軸７２Ｙを中心にさらに回動する。軸７２Ｄの内の奥側の軸７２Ｘは、軸７２Ｙを中心に回転するときの、切り換えレバー７２の中心７２Ｙからのずれを防止する。この第２の切り換えレバー７２の回動によって、第２のローディングスライダー６９は後端側にさらに移動する。カム溝６９Ｂの終端部では、カムピン７２Ｃの旋回移動で、第２のローディングスライダー６９が移動しないカム形状とし、第２のローディングスライダー６９の位置バラツキを少なく固定し、第２のローディングスライダー６９の移動を完了する。第２の切り換えレバー７２は図示しない付勢バネにより反時計方向に付勢され、カムピン７２Ｂが、カム溝６３Ｂから離れたときにも位置を維持する。なお、図１３の状態から図１４の状態においては、第２のローディングスライダー６９は移動駆動ピニオン６７から切り離された状態にある。
図１４に示す状態で内部トレイ４０の移動は終了し、その後トラバース上昇動作を開始する。図１４に示す状態から図１５に示す状態までは、固定駆動ピニオン６６によって第１のトラバーススライダー６３はさらに移動を継続する。この第１のトラバーススライダー６３の移動によって、トラバースベース２０は、スピンドルモータ２１側がベース本体１１側と蓋体１２側との間で変位し、ディスクのチャッキングを完了する。
ディスクの排出動作は、図１５に示す状態から、逆に図１４、図１３、図１２、図１１に示す状態に動作させる。
すなわち、駆動モーター６１を逆回転させることで、第１のトラバーススライダー６３を後方側に移動させる。図１５から図１４に示す状態では、第１のトラバーススライダー６３の後方側への移動により、トラバースベースが下げられる。
図１４から図１３に示す状態では、第２の切り換えレバー７２の動作によって第２のローディングスライダー６９を移動駆動ピニオン６７に係合させる。
図１３から図１２に示す状態では、第１の切り換えレバー７１の動作によって第１のローディングスライダー６８を固定駆動ピニオン６６に係合させる。
そしてさらに駆動モーター６１を逆回転させることで、図１１に示す状態では、第１の切り換えレバー７１の動作によって第１のトラバーススライダー６３を固定駆動ピニオン６６から切り離された状態にし、カム溝の終端部では、カムピン７１Ｃの旋回移動で、第１のトラバーススライダー６３が移動しないカム形状とし、６３を位置バラツキを少なく固定し、第１のトラバーススライダー６３の後方への移動を完了する。
図１６は、第１のトラバーススライダー６３の移動を完了した状態を示している。
図１６に示す状態から図１７に示す状態までは、固定駆動ピニオン６６は第１のローディングスライダー６８だけに回転を伝える。移動駆動ピニオン６７は、第１のローディングスライダー６８とともに前方に移動する。移動駆動ピニオン６７自体の移動による回転よって、第２のローディングスライダー６９は比較的高速で（第１のトラバーススライダー６３の移動速度の２倍の速度で）前方に移動する。イジェクト位置検出器８４が第１のローディングスライダー６８の位置を検出すると駆動モーター６１の回転を停止する。
イジェクト完了後は、駆動モーター６１を正回転させることで、図１１に示すスタンバイ状態とする。このスタンバイ状態は、スタンバイ検出器８３によって第２のローディングスライダー６９のスタンバイ位置を検出することで行う。スイッチレバーは、スタンバイ位置の前後の位置を前後動出来て、後方へ付勢されている。スイッチレバーの後端部は、第２のローディングスライダー６９により前方へ押されると、その後、第２のローディングスライダー６９により斜めに押されて、フレームの斜めカム壁に沿って斜めに移動し、第２のローディングスライダー６９の横に配置される。これによりスイッチレバーが移動することなく、第２のローディングスライダー６９がさらに前方へ移動可能になる。第２のローディングスライダー６９が後方へ移動し、スタンバイ位置近くにくると、スイッチレバーが移動可能になり、付勢力により、フレームの斜めカム壁に沿って斜め後方に移動し、第２のローディングスライダー６９とともに、後方へ移動する。第２のローディングスライダー６９がスタンバイ位置にきたときに、ともに移動しているスイッチレバーの前部の移動をスタンバイ検出器８３が検出し、スタンバイ位置を検出する。
イマージェンシーイジェクト時には、図１５に示す状態から、図１１に示す状態に第１のトラバーススライダー６３を後方へ、押して移動させることで行う。
トラバーススライダー６３の移動により、ローディングスライダーを移動させるとき、３倍速で移動させる部分を持つことにより、少しのトラバーススライダー６３の移動により、スタンバイ位置より手前側への排出を実現する。このとき、固定駆動ギア６６は逆回転し、モーターギア部は、出力側からの力で、逆回転可能になっている。
イマージェンシーイジェクト時には、モーター駆動時に第１の切り換えレバー７１の動作によって第１のトラバーススライダー６３が移動させられる位置から、さらに後方へ第１のトラバーススライダー６３を押して移動させることで、第１の切り換えレバー７１をさらに回転させ、第１のローディングスライダー６８をさらに前方へ移動させ、第２のローディングスライダー６９をさらに、前方へ移動させ、移動距離を大きくしている。
イマージェンシーイジェクトでは、スタンバイ位置よりも手前側まで、ローディングスライダーを移動させる。これにより、内部トレイ４０は、フロント位置に配置され、ディスクの保持は解除され、セレクトレバー４２は内部トレイ４０上で、ディスクを少し手前へ移動させた位置まで移動させられる。このときセレクトレバー等の前方への付勢によりディスクは、前方へ付勢され、ディスクの移動の摩擦抵抗が少ないときには、ディスクは、イジェクト位置まで排出される。
【００１８】
以上のように本実施例によれば、内部トレイ４０によるディスク保持を行う際に、ロードレバーＲ４１の旋回位置によってディスク径を判別してセレクトレバー４２の後方側停止位置を変更するため、異なるディスク径に対しても、確実なディスク保持を行うことができるとともに、ディスク径が異なっても内部トレイ４０に対するディスクの中心位置を同じにすることができる。
【産業上の利用可能性】
【００１９】
本発明は、ＣＤ、ＤＶＤ等のディスク状記録媒体の記録または再生を行うディスク装置に利用できる。
【図面の簡単な説明】
【００２０】
【図１】本発明の一実施例におけるディスク装置のシャーシ外装を示す外観斜視図
【図２】同ディスク装置のベース本体の主要部を示す概念構成図
【図３】同ディスク装置の内部トレイの主要部を示す概略構成図
【図４】同ディスク装置の駆動ユニットの主要部を示す概略構成図
【図５】同ディスク装置の内部トレイにおける大径ディスクの挿入状態を示す平面図
【図６】同ディスク装置の内部トレイにおける大径ディスクの挿入状態を示す平面図
【図７】同ディスク装置の内部トレイにおける大径ディスクの挿入状態を示す平面図
【図８】同ディスク装置の内部トレイにおける小径ディスクの挿入状態を示す平面図
【図９】同ディスク装置の内部トレイにおける小径ディスクの挿入状態を示す平面図
【図１０】同ディスク装置の内部トレイを示す斜視図
【図１１】同ディスク装置のスタンバイ状態を示すスライダー機構の要部平面図
【図１２】同ディスク装置のローディングスライダー移動完了状態を示すスライダー機構の要部平面図
【図１３】同ディスク装置の引き込み完了手前の状態を示すスライダー機構の要部平面図
【図１４】同ディスク装置の引き込み完了状態を示すスライダー機構の要部平面図
【図１５】同ディスク装置のローディング完了状態を示すスライダー機構の要部平面図
【図１６】同ディスク装置の第１のトラバーススライダー移動完了状態を示すスライダー機構の要部平面図
【図１７】同ディスク装置のイジェクト移動完了の状態を示すスライダー機構の要部平面図
【符号の説明】
【００２１】
１０  シャーシ外装
１１  ベース本体
１２  蓋体
１４  ディスク挿入口
２０  トラバースベース
２１  スピンドルモータ
２２  ピックアップ
２３  駆動手段
４０  内部トレイ
４１  ロードレバーＲ
４１Ａ、４２Ａ  ディスク当接部
４２  セレクトレバー
６０  スライダー機構
【図１】
2007095133.tif 000003
【図３】
2007095133.tif 000004
【図４】
2007095133.tif 000005
【図５】
2007095133.tif 000006
【図６】
2007095133.tif 000007
【図７】
2007095133.tif 000008
【図８】
2007095133.tif 000009
【図９】
2007095133.tif 000010
【図１０】
2007095133.tif 000011
【図１１】
2007095133.tif 000012
【図１２】
2007095133.tif 000013
【図１３】
2007095133.tif 000014
【図１４】
2007095133.tif 000015
【図１５】
2007095133.tif 000016
【図１６】
2007095133.tif 000017
【図１７】
2007095133.tif 000018
【図２】
2007095133.tif 000019